(57)【要約】【課題】遊技者が獲得した遊技球の処理に係る利便性の向上等を図ることのできる遊技設備を提供する。【解決手段】パチンコ機１０では、発射装置から発射された遊技球が、遊技領域内の所定の入賞口へ入賞することに基づき、所定数の遊技球が賞球として払出される。また、パチンコ機１０は、遊技者が獲得した遊技球を回収し、裏側へ排出可能な回収用通路を備えた構成となっている。【選択図】      図１
2020078590.tif 000002
【特許請求の範囲】
【請求項１】
遊技球を発射する発射手段と、発射された遊技球が案内される遊技領域と、前記遊技領域内に配置された入球手段と、前記入球手段への遊技球の入球に基づき、所定数の遊技球を賞球として払出す払出手段と、前記払出手段から払出された遊技球を貯留可能かつ前記発射手段へ案内可能な貯留手段とを有した遊技機と、
遊技者が獲得した遊技球を回収可能な回収機構と、
前記回収機構により回収された遊技球を前記遊技機へ再び供給可能な供給機構とを備えた遊技設備であって、
前記回収機構は、
前記遊技機の裏側位置に開口した複数の回収用通路と、
前記貯留手段から導かれる遊技球を前記複数の回収用通路に振り分ける振分手段と、
前記複数の回収用通路から排出される遊技球をそれぞれ検出可能な検出手段と、
前記検出手段の検出結果に基づき、回収された遊技球の計数を行う計数手段とを備えたことを特徴とする遊技設備。
【発明の詳細な説明】
【技術分野】
【０００１】
本発明は、パチンコ機等の遊技機が配置された遊技設備に関するものである。
【背景技術】
【０００２】
遊技機の一種としてパチンコ機がある。パチンコ機では、例えば遊技球を発射装置によって遊技領域に発射し、遊技領域に設けられた所定の入球手段に遊技球が入球すると大当たり状態を発生させるか否か抽選が行われ、当選結果が得られると遊技者に有利な大当たり状態が発生する。大当たり状態が発生すると、遊技者は、多くの遊技球（賞球）を獲得することができる。
【０００３】
払い出された遊技球は、パチンコ機前面に設けられた球受け皿に貯留される。そして、球受け皿が一杯になると、球受け皿に貯留されている遊技球を、遊技店が用意した通称「ドル箱」と呼ばれる収容箱に移し替える。
【０００４】
このように遊技球の収容されたドル箱は、遊技者が多くの遊技球を獲得している雰囲気、いわゆる出球感を醸し出す営業目的等の理由により、遊技中の遊技者の座席近くに山積みにして置かれる。そして、遊技者は、遊技終了後、獲得した遊技球を所定の球計数機にて計数し、その球数に相当する景品等に交換する。
【０００５】
従来、球計数機は、島設備や景品交換カウンタ等、遊技機から離れた位置に備え付けられており、遊技を終了する際には、遊技者自身や遊技店の店員がドル箱を球計数機まで運搬しなければならなかった。遊技球の収容されたドル箱は１つ１つが非常に重いため、これを数多く球計数機まで運搬するには多大な労力を要していた。
【０００６】
これに対し、近年では、ドル箱を球計数機まで運搬する面倒な作業を省略して、遊技者が獲得した遊技球をその場で計数可能なように、各遊技機に対応して個別に球計数機を設置している遊技店も見受けられるようになった（例えば、特許文献１参照）。
【先行技術文献】
【特許文献】
【０００７】
【特許文献１】特開２００９−２４０６３２号公報
【発明の概要】
【発明が解決しようとする課題】
【０００８】
しかしながら、島設備において、遊技者が獲得した遊技球の処理に係る利便性の向上が求められていた。
【０００９】
本発明は、上記例示した問題点などを解決するためになされたものであり、その目的は、遊技者が獲得した遊技球の処理に係る利便性の向上等を図ることのできる遊技設備を提供することにある。
【課題を解決するための手段】
【００１０】
上記の目的を達成するため、本発明に係る遊技設備は、
遊技球を発射する発射手段と、発射された遊技球が案内される遊技領域と、前記遊技領域内に配置された入球手段と、前記入球手段への遊技球の入球に基づき、所定数の遊技球を賞球として払出す払出手段と、前記払出手段から払出された遊技球を貯留可能かつ前記発射手段へ案内可能な貯留手段とを有した遊技機と、
遊技者が獲得した遊技球を回収可能な回収機構と、
前記回収機構により回収された遊技球を前記遊技機へ再び供給可能な供給機構とを備えた遊技設備であって、
前記回収機構は、
前記遊技機の裏側位置に開口した複数の回収用通路と、
前記貯留手段から導かれる遊技球を前記複数の回収用通路に振り分ける振分手段と、
前記複数の回収用通路から排出される遊技球をそれぞれ検出可能な検出手段と、
前記検出手段の検出結果に基づき、回収された遊技球の計数を行う計数手段とを備えたことをその要旨としている。
【発明の効果】
【００１１】
本発明の遊技設備によれば、遊技者が獲得した遊技球の処理に係る利便性の向上等を図ることができるという優れた効果を奏する。
【図面の簡単な説明】
【００１２】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】（ａ）は通常時における上皿等を示す平面模式図であり、（ｂ）は遊技球回収時における上皿等を示す平面模式図である。
【図８】（ａ）は通常時における上皿等を示す図１のＡ−Ａ線部分断面模式図であり、（ｂ）は遊技球回収時における上皿等を示す図１のＡ−Ａ線部分断面模式図である。
【図９】パチンコ機の主な電気的構成を示すブロック図である。
【発明を実施するための形態】
【００１３】
上述したように、遊技機の一種としてパチンコ機がある。パチンコ機では、例えば遊技球を発射装置によって遊技領域に発射し、遊技領域に設けられた所定の入球手段に遊技球が入球すると大当たり状態を発生させるか否か抽選が行われ、当選結果が得られると遊技者に有利な大当たり状態が発生する。大当たり状態が発生すると、遊技者は、多くの遊技球（賞球）を獲得することができる。
【００１４】
払い出された遊技球は、パチンコ機前面に設けられた球受け皿に貯留される。そして、球受け皿が一杯になると、球受け皿に貯留されている遊技球を、遊技店が用意した通称「ドル箱」と呼ばれる収容箱に移し替える。
【００１５】
このように遊技球の収容されたドル箱は、遊技者が多くの遊技球を獲得している雰囲気、いわゆる出球感を醸し出す営業目的等の理由により、遊技中の遊技者の座席近くに山積みにして置かれる。そして、遊技者は、遊技終了後、獲得した遊技球を所定の球計数機にて計数し、その球数に相当する景品等に交換する。
【００１６】
従来、球計数機は、島設備や景品交換カウンタ等、遊技機から離れた位置に備え付けられており、遊技を終了する際には、遊技者自身や遊技店の店員がドル箱を球計数機まで運搬しなければならなかった。遊技球の収容されたドル箱は１つ１つが非常に重いため、これを数多く球計数機まで運搬するには多大な労力を要していた。
【００１７】
これに対し、近年では、ドル箱を球計数機まで運搬する面倒な作業を省略して、遊技者が獲得した遊技球をその場で計数可能なように、各遊技機に対応して個別に球計数機を設置している遊技店も見受けられるようになった（例えば、特許文献１参照）。
【００１８】
しかしながら、既存の島設備に対し個別計数機を設置するためには、当該個別計数機を取付けるにあたり、多大な手間や時間、導入費用等がかかっていた。
【００１９】
本発明は、上記例示した問題点などを解決するためになされたものであり、その目的は、遊技者が獲得した遊技球の処理に係る利便性の向上等を図ることのできる遊技機や遊技設備等を提供することにある。
【００２０】
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００２１】
図３等に示すように、パチンコ機１０は、当該パチンコ機１０の外郭を構成する外枠１１を備えており、この外枠１１の一側部に内枠１２が開閉可能に支持されている。
【００２２】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００２３】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００２４】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００２５】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００２６】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００２７】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２８】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２９】
図１に示すように、前面枠セット１４の前面側には、その下部中央において下皿１５が設けられており、排出口１６より排出された遊技球Ｂが下皿１５内に貯留可能になっている。また、下皿１５の手前側には、下皿１５内から遊技球Ｂを排出するための球抜きレバー２５が設けられている。
【００３０】
下皿１５の右方には、手前側に突出した遊技球Ｂ発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００３１】
下皿１５の上方には上皿１９が設けられている。上皿１９は、下皿１５の上方位置にて、パチンコ機１０の前面に張り出すように設けられた張出部２０に囲まれるようにして配置されている。
【００３２】
上皿１９は、後述する払出手段としての払出機構部３５２から払出される遊技球Ｂを一旦貯留し、一列に整列させながら後述する発射手段としての遊技球発射装置（以下、単に発射装置という）７０へ誘導する機能を有する球受皿（貯留手段）である。
【００３３】
図２に示すように、上皿１９は、左右方向に長く上方に開口した略箱状に形成されており、その内部に遊技球Ｂを貯留可能となっている。
【００３４】
上皿１９の奥壁部１９ａの左端には排出口１９ｂが形成されている。この排出口１９ｂを介して払出機構部３５２から払出される遊技球Ｂが上皿１９へ排出される。
【００３５】
本実施形態では、張出部２０の中央部が前後方向にスライド可能に構成されている。より詳しくは、張出部２０は、その左右両側に位置する支持部２０ａ，２０ｂと、当該両支持部２０ａ，２０ｂ間に設けられた引出部２０ｃとから構成されている。そして、引出部２０ｃの左右両側部と、これに相対向する左右両支持部２０ａ，２０ｂの内側面との間に、スライド機構２１（図８参照）が設けられることにより、引出部２０ｃが前後方向に沿ってスライド可能となっている。
【００３６】
また、右側支持部２０ｂの内部には、スライド機構２１を変位不能にロックするロック機構２２（図９参照）が設けられている。本実施形態におけるロック機構２２は、遊技店の店員等が持つ電子キーのリモコン操作により、施錠・解錠操作を行える電子式のものである。これにより、通常時、遊技者が引出部２０ｃを自由に開け閉めできないようになっている。ロック機構２２が本実施形態における禁止手段を構成する。また、ロック機構２２は、後述する計数制御装置３１０と電気的に接続されており、ロック解除状態となった場合には、その旨の信号を計数制御装置３１０へ出力する。
【００３７】
また、右側支持部２０ｂの内部には、引出部２０ｃの開閉を検知するスライドスイッチ２３が設けられている。スライドスイッチ２３は、引出部２０が最大限前方へ引き出された場合にオン状態となる。スライドスイッチ２３は、後述する計数制御装置３１０と電気的に接続されており、オン状態となった場合には、その旨の信号を計数制御装置３１０へ出力する。
【００３８】
引出部２０ｃは、平面視略コ字状をなし（図７等参照）、その内側面が上皿１９の一部を構成している。
【００３９】
引出部２０ｃの内側には整流部材２４が設けられている。整流部材２４が設けられることで、通常時には、図７（ａ）に示すように上皿１９の右奥側部分（下流側部分）には、発射装置７０へ通じる前後幅の比較的狭い整流部１９ｄが形成される。この整流部１９ｄは、発射装置７０に向けて遊技球Ｂを１列に整列しつつ誘導する機能を有する。これに対し、上皿１９の左右方向略中央部よりも左側部分（上流側部分）には、前後幅が比較的広く、より多くの遊技球Ｂを貯留できるスペースが確保されている。
【００４０】
上皿１９の底部１９ｃは、平面視略矩形の平板状部材（以下、底板部１９ｃという）により構成されている。底板部１９ｃの後縁部の左右両端部には突部（図示略）が形成されており、当該突部が左右両支持部２０ａ，２０ｂの内側面に軸支されている。これにより、底板部１９ｃは、自身の後縁部を回動軸として回動可能となっている。
【００４１】
また、底板部１９ｃの前縁部の左右両端部には突部（図示略）が形成されており、当該突部が引出部２０ｃの左右両内側面に形成された誘導溝部２６に係合されている（図８参照）。これにより、底板部１９ｃは、その前縁部が引出部２０ｃのスライド動作に合わせて上下動することにより回動する。
【００４２】
通常時、底板部１９ｃは左側から右側に向けて下方傾斜しており、遊技球Ｂが自重により整流部１９ｄひいては発射装置７０へ案内されるようになっている。
【００４３】
一方、図８（ｂ）に示すように、引出部２０ｃを前方（図８左側）へスライドさせた際には、底板部１９ｃが後側から前側に向けて下方傾斜した状態となる。
【００４４】
引出部２０ｃの下部内側には、後方に向かうにつれ下方へ傾斜した傾斜壁部２０ｄが設けられている。
【００４５】
前面枠セット１４の下部（引出部２０ｃの下方）には、下皿１５の左右側部から下皿１５の奥側にかけて多量の遊技球Ｂが通過可能な流込み通路２７が形成されている。より詳しくは、前面枠セット１４の前面壁１４ａと背面壁１４ｂとの間や、下皿１５の奥壁１５ａと前面枠セット１４の背面壁１４ｂとの間に形成された中空状のスペースが、流込み通路２７として利用されている。
【００４６】
一方、前面枠セット１４の背面壁１４ｂの下部には、計数ユニット２８が設けられている。流込み通路２７は計数ユニット２８と連通しており、その内側面は計数ユニット２８へ向けて遊技球Ｂを誘導可能なように傾斜している。
【００４７】
計数ユニット２８は、遊技者が獲得した遊技球Ｂを計数するためのものである。計数ユニット２８には、仕切部２８ａによって仕切られた複数の計数レーン２８ｂが設けられている。各計数レーン２８ｂは、遊技球Ｂが一列に整列して転動できる幅で構成されている。
【００４８】
各計数レーン２８ｂの出口２８ｃ付近には、遊技球Ｂの通過を検知可能な球検出手段としての球検出センサ２８ｄが設けられている。本実施形態では、球検出センサ２８ｄとして透過型フォトセンサを採用している。
【００４９】
上記傾斜壁部２０ｄ、流込み通路２７及び計数ユニット２８、並びに後述する内枠１２（樹脂ベース３８）の排出通路３８ａにより、本実施形態における回収用通路が構成される。
【００５０】
張出部２０の右側部には球抜きスイッチ２０ｅが設けられている。当該球抜きスイッチ２０ｅを押すことにより、所定の球抜き通路を通って上皿１９内の遊技球Ｂが下皿１５へと排出される。
【００５１】
上皿１９の上方位置には、球貸しボタン１２１と返却ボタン１２２とが設けられている。これにより、遊技店等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球Ｂが直接貸し出されるパチンコ機、いわゆる現金機では球貸しボタン１２１及び返却ボタン１２２は不要である。
【００５２】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００５３】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００５４】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００５５】
また、内枠１２（樹脂ベース３８）の前面下部、すなわち窓孔３９（遊技盤３０）の下方位置には、発射装置７０及び当該発射装置７０より発射された直後の遊技球Ｂを案内する発射レール６１が取付けられている。本実施形態では、発射装置７０としてソレノイド式発射装置を採用している。
【００５６】
また、内枠１２（樹脂ベース３８）の前面下部には、上記計数ユニット２８の各計数レーン２８ｂの出口２８ｃに対応して形成された複数の排出通路３８ａが形成されている。各排出通路３８は前後方向に貫通しており、計数ユニット２８の各出口２８ｃから排出された遊技球Ｂを、パチンコ機１０の背面側へ排出可能としている。
【００５７】
また、内枠１２（樹脂ベース３８）の背面側には、排出通路３８ａから排出される遊技球Ｂを、島設備の球回収機構へ円滑に誘導するための補助誘導部３８ｂが設けられている。
【００５８】
次に、遊技盤３０の構成について図４を参照して説明する。遊技盤３０には、一般入賞口３１、可変入賞装置３２、第１契機対応ユニット（作動口）３３、第２契機対応口３４、可変表示装置ユニット３５等がルータ加工によって形成された貫通孔に配設され、遊技盤３０前面側から木ネジ等により取付けられている。周知の通り一般入賞口３１、可変入賞装置３２、第１契機対応ユニット３３などの各種入賞口に遊技球Ｂが入球（入賞）すると、後述する各種検出スイッチにより検出され、上皿１９（又は下皿１５）へ所定数の賞球が払い出される。その他に、遊技盤３０にはアウト口３６が設けられており、一般入賞口３１等の各種入賞口に入賞しなかった遊技球Ｂは、このアウト口３６を通って遊技領域外へと排出される。また、遊技盤３０には、遊技球Ｂの落下方向を適宜分散、調整等するために多数の釘が植設されているとともに、風車等の各種部材（役物）が配設されている。
【００５９】
第１契機対応ユニット３３は、上入賞口３３ａ及び下入賞口３３ｂを備えるとともに、下入賞口３３ｂに対応して一対の開閉部材３３ｃを備えている。これにより、上入賞口３３ａが遊技球Ｂが常時入球可能な開状態となっているのに対し、下入賞口３３ｂは、開閉部材３３ｃが所定条件の成立に応じて開閉動作することにより、遊技球Ｂが入球不能な閉状態と、遊技球Ｂが入球可能な開状態とに切換わる。例えば、下入賞口３３ｂは、通常モード時には開閉部材３３ｃが開状態となり規定時間（例えば０．２秒）の経過した場合又は規定個数（例えば１個）の遊技球Ｂの入球があった場合に閉状態となる。この開閉処理は、通常モード時においては１回だけ行われる。また、上記構成に代えて、下入賞口３３ｂが、遊技球Ｂが入球困難な閉状態と、遊技球Ｂが前記閉状態より入球容易な開状態とに切換わる構成としてもよい。
【００６０】
可変表示装置ユニット３５には、第２契機対応口３４の通過をトリガとして変動表示する普通図柄表示装置４１と、第１契機対応ユニット３３（上入賞口３３ａ又は下入賞口３３ｂ）への入賞をトリガとして変動表示する特別表示装置４３と、特別表示装置４３による変動表示に合わせて変動表示する装飾図柄表示装置４２とが設けられている。
【００６１】
普通図柄表示装置４１は、普通図柄として「○」又は「×」を点灯表示可能に構成されており、遊技球Ｂが第２契機対応口３４を通過する毎に例えば普通図柄を「○」→「×」→「○」→・・・という具合に高速で切換表示（変動表示）する。そして、その変動表示が「○」図柄（当選図柄）で数秒間停止した場合には、第１契機対応ユニット３３が所定時間だけ作動状態となる。この普通図柄表示装置４１は、後述する主制御装置２６１によって直接的に表示内容が制御される。
【００６２】
また、普通図柄表示装置４１の変動表示中に、新たに遊技球Ｂが第２契機対応口３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００６３】
特別表示装置４３は、普通図柄表示装置４１の右側方に設けられ、赤、緑、青の発光色を有する三色発光ダイオード（三色ＬＥＤ）により構成されている。そして、遊技球Ｂが第１契機対応ユニット３３に入賞する毎に色換え表示（変動表示）が行われ、変動表示が停止したときの点灯態様（点灯色）により、大当たりか否かが確定的に表示される。
【００６４】
より詳しくは、第１契機対応ユニット３３に対し遊技球Ｂが入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。大当たり抽選に当選した場合には、この際、赤又は緑で決定表示（例えば数秒間停止）され、特別遊技状態が発生する。特に、赤は、大当たり終了後の遊技モードが高確率モードであることを示す表示であり、緑は、大当たり終了後の遊技モードが時間短縮モードであることを示す表示である。なお、この特別表示装置４３についても、主制御装置２６１によって表示内容が直接的に制御される。
【００６５】
また、特別表示装置４３の変動表示中に新たに遊技球Ｂが第１契機対応ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球Ｂが第１契機対応ユニット３３に入賞した場合、その分の変動表示についても保留される。
【００６６】
装飾図柄表示装置４２は液晶表示装置として構成されており、後述するサブ制御装置２６２及び表示制御装置４５によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００６７】
可変入賞装置３２は、通常は遊技球Ｂが入賞できない閉状態になっており、大当たり（特別遊技状態の発生）の際に、遊技球Ｂが入賞可能な開状態とされる。具体的には、規定時間（例えば２９秒）の経過又は規定個数（例えば１０個）の入賞を１ラウンド（特賞状態）として、可変入賞装置３２の大入賞口が所定回数（所定ラウンド数）繰り返し開放される。
【００６８】
また、遊技盤３０には、内レール構成部５１と外レール構成部５２とからなり、発射装置７０から発射された遊技球Ｂを遊技盤３０上部へ案内するレール５０が取付けられている。これにより、ハンドル１８の回動操作に伴い発射された遊技球Ｂは発射レール６１及びレール５０を通じて、遊技盤３０とガラスユニット１３７との間に形成される遊技領域内に案内される。
【００６９】
内レール構成部５１の先端部分（図４の左上部）には戻り球防止部材５３が取着されている。これにより、一旦、レール５０から遊技領域へと案内された遊技球Ｂが再度レール５０内に戻ってしまうといった事態が防止される。
【００７０】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００７１】
図３に示すように、前面枠セット１４の背面側には、窓部１０１の下方において、後述する払出機構部３５２から下皿１５の排出口１６へ繋がる球通路７１が設けられている。また、内枠１２に設けられた発射レール６１とレールユニット５０（外レール構成部５２）との間には所定間隔の隙間があり、前面枠セット１４の背面側には、前記隙間より落下した遊技球Ｂを下皿１５へと案内するファール球通路７２が形成されている。これにより、仮に、発射装置７０から発射された遊技球Ｂが戻り球防止部材５３まで至らずファール球としてレール５０を逆戻りする場合には、そのファール球がファール球通路７２を介して下皿１５に排出される。
【００７２】
また、図３及び図４中の符号６７は後述する払出機構部３５２により払出された遊技球Ｂを内枠１２の前方に案内するための払出通路であり、上皿１９に通じる球通路７５と、下皿１５に通じる球通路７１とに連通する。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、球通路７５や球通路７１の入口側後端部によってシャッタ６８が押し開けられるようになっている。
【００７３】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球Ｂを供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００７４】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００７５】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００７６】
フレームカバー２１３の下方には裏枠セット２１５が、一般入賞口３１、可変入賞装置３２及び第１契機対応ユニット３３等を背後から覆うようにして遊技盤３０に取付けられている。裏枠セット２１５は、各種入賞口に入賞した遊技球Ｂを回収するための球回収樋を備えている（図示略）。この球回収樋により回収された遊技球Ｂは、後述する排出通路部２１７に案内され、排出通路部２１７の排出シュート２１８からパチンコ機１０外部に排出される。
【００７７】
また、本実施形態では、裏枠セット２１５が主制御装置２６１の取付台として機能する。より詳しくは、主制御装置２６１を搭載した基板搭載ユニット７０１が、裏枠セット２１５に対し回動可能に軸支され、後方に開放可能となっている。
【００７８】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【００７９】
また、遊技盤３０には、入球手段としての一般入賞口３１等の各種入賞口に対応して、当該各種入賞口へ入球した遊技球Ｂを検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、第１契機対応ユニット３３には、上入賞口３３ａ及び下入賞口３３ｂそれぞれに対応して第１契機対応ユニットスイッチ２２４ａ，２２４ｂが設けられている。さらに、第２契機対応口３４に対応する位置には第２契機対応口スイッチ２２５が設けられている。
【００８０】
また、図示は省略するが、裏枠セット２１５には、入賞口スイッチ２２１、カウントスイッチ２２３及び第２契機対応口スイッチ２２５とケーブルコネクタを介して電気的に接続される第１盤面中継基板が設けられている。この第１盤面中継基板は、入賞口スイッチ２２１等と、制御手段としての主制御装置２６１とを中継するものであり、ケーブルコネクタを介して主制御装置２６１と電気的に接続されている。
【００８１】
これに対し、第１契機対応ユニット３３（上入賞口３３ａ又は下入賞口３３ｂ）への入球を検出する第１契機対応スイッチ２２４ａ，２２４ｂは中継基板を経ることなくコネクタケーブルを介して直接主制御装置２６１に接続されている。
【００８２】
各種入球検出スイッチにて各々検出された検出結果は、主制御装置２６１に取り込まれる。そして、該主制御装置２６１よりその都度の入賞状況に応じた払出指令（遊技球Ｂの払出個数）が払出制御装置３１１に送信され、該払出制御装置３１１からの出力信号に基づき所定数の遊技球Ｂの払出しが実施される（第２契機対応口スイッチ２２５により検出された場合を除く。）
この他、遊技盤３０の裏面には、図示は省略するが、可変入賞装置３２にて大入賞口を開放する大入賞口用ソレノイドが設けられ、第１契機対応ユニット３３にて一対の開閉部材３３ｃを開閉駆動する下入賞口用ソレノイドが設けられている。また、裏枠セット２１５には、これらソレノイドと主制御装置２６１とを中継する第２盤面中継基板（図示略）も設けられている。
【００８３】
次に、裏パックユニット２０３の構成を説明する。図５に示すように、裏パックユニット２０３は、樹脂成形された裏パック３５１と、遊技球Ｂの払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には、外部出力手段としての外部中継端子板２４０が設けられている。
【００８４】
外部中継端子板２４０は、遊技店のホールコンピュータＨＣなどへの各種情報送信を中継するためのものであり、複数の外部接続端子が設けられている。便宜上、符号は付さないが、例えば現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子、計数制御装置３１０によって計数された計数情報を出力するための端子などが設けられている。
【００８５】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板搭載ユニット７０１の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００８６】
払出機構部３５２は、保護カバー部３５４を迂回するようにして配設されている。すなわち、保護カバー部３５４の上方には、上側に開口したタンク３５５が設けられており、このタンク３５５には遊技店の島設備から供給される遊技球Ｂが逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球Ｂの払出が適宜行われる。そして、払出装置３５８より払出された遊技球Ｂは上皿１９等に供給される。
【００８７】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００８８】
裏パックユニット２０３（基板搭載ユニット７０１）の下方には、内枠１２の左側部（図５では右側）にて軸支され、後方に開放可能な下枠セット２５１が設けられている。図６に示すように、下枠セット２５１には、上述した球回収樋により回収された遊技球Ｂが流入する排出通路部２１７が形成され、排出通路部２１７の最下流部には、遊技球Ｂをパチンコ機１０外部へ排出する排出シュート２１８が形成されている。つまり、一般入賞口３１等の各入賞口に入賞した遊技球Ｂは、裏枠セット２１５の球回収樋を介して集合し、さらに排出通路部２１７の排出シュート２１８を通じてパチンコ機１０外部に排出される。また、アウト口３６も同様に排出通路部２１７に通じており、何れの入賞口にも入賞しなかった遊技球Ｂも排出シュート２１８を介してパチンコ機１０外部に排出される。排出シュート２１８を介してパチンコ機１０から排出された遊技球Ｂは、一旦、島設備の球回収機構に回収された後、球磨き装置等を通って島設備内を循環し、再びパチンコ機１０の払出機構部３５２（タンク３５５）へ逐次供給される。
【００８９】
尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００９０】
また、図５に示すように、下枠セット２５１の背面側には、計数制御装置３１０、払出制御装置３１１、発射制御装置３１２、電源装置３１３及びカードユニット接続基板３１４が前後に重ねられた状態で着脱可能に取り付けられている。
【００９１】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成されている。
【００９２】
計数制御装置３１０及び払出制御装置３１１は基板ボックス３１１ａに収容されて、基板ボックス３１３ａ（発射制御装置３１２及び電源装置３１３）の背面側に固定されている。計数制御装置３１０及び払出制御装置３１１は１つの基板ボックス３１１ａに収容されているが、別々の基板（プリント基板）により構成されている。尚、計数制御装置３１０及び払出制御装置３１１が収容される基板ボックス３１１ａには、上述した主制御装置２６１が収容される基板ボックス２６３と同様に封印手段としての封印部材が設けられ、基板ボックス３１１ａの開封された痕跡が残るようになっている。
【００９３】
カードユニット接続基板３１４は、基板ボックス３１４ａに収容されて、基板ボックス３１３ａ（発射制御装置３１２及び電源装置３１３）の背面側に固定されている。
【００９４】
なお、上記各基板ボックス３１１ａ，３１３ａ，３１４ａは透明樹脂材料等により構成されており、内部が視認可能となっている。
【００９５】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００９６】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技店の営業終了時に）電源遮断すると電源遮断前の状態が記憶保持されることから、電源投入時に初期状態に戻したい場合には、ＲＡＭ消去スイッチ３２３を押しながら電源を投入する。
【００９７】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００９８】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００９９】
また、図４に示すように、内枠１２の前面側右下部（発射装置７０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【０１００】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１０１】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１０２】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１０３】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、電源切断時に実行され、逆にバックアップエリア５０３ａに書き込まれた各値の復帰は、電源入時（停電解消による電源入を含む。以下同様）において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１０４】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１０５】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、外部中継端子板２４０等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１０６】
その他、便宜上、各種中継基板等の図示は省略するが、入出力ポート５０５には、入賞口スイッチ２２１、カウントスイッチ２２３、第１契機対応ユニットスイッチ２２４ａ，２２４ｂ、第２契機対応口スイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１０７】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１０８】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【０１０９】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１１０】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１１１】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１１２】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１１３】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、電源切断時に実行され、バックアップエリア５１３ａに書き込まれた各値の復帰は電源入時において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電処理（ＮＭＩ割込み処理）が即座に実行される。
【０１１４】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１１５】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１１６】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、受信されたコマンドの判定が行われた場合にオフされる。
【０１１７】
コマンドバッファは、主制御装置２６１から送信されるコマンドを一時的に記憶するリングバッファで構成されている。
【０１１８】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８、外部中継端子板２４０等がそれぞれ接続されている。
【０１１９】
カードユニット接続基板３１４は、パチンコ機１０前面の貸球操作部（球貸しボタン１２１及び返却ボタン１２２）と、遊技店等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球Ｂが直接貸し出される現金機では、カードユニット接続基板３１４を省略することも可能である。
【０１２０】
発射制御装置３１２は、発射装置７０による遊技球Ｂの発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球Ｂが発射される。
【０１２１】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１２２】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１２３】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１２４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１２５】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１２６】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１２７】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１２８】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電処理（ＮＭＩ割込み処理）を実行する。
【０１２９】
なお、電源部５４１は、直流安定２４ボルトの電圧が２２ボルト未満になった後においても、かかる停電処理の実行に充分な時間の間、制御系の駆動電圧である５ボルトの出力を正常値に維持するように構成されている。よって、主制御装置２６１及び払出制御装置３１１は、停電処理を正常に実行し完了することができる。
【０１３０】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１３１】
計数制御装置３１０は、計数ユニット２８により検出される遊技球を計数する機能を有し、本実施形態における計数手段に相当する。計数制御装置３１０は、他の制御装置と同様に、演算装置であるＣＰＵや、そのＣＰＵにより実行される制御プログラムや固定値データ等を記憶したＲＯＭ、ワークメモリ等として使用されるＲＡＭなどを備えている。
【０１３２】
計数制御装置３１０は、ロック機構２２、スライドスイッチ２３、計数ユニット２８、外部中継端子板２４０などと電気的に接続されている。
【０１３３】
次に遊技者が獲得した遊技球Ｂを計数する手順について説明する。
【０１３４】
大当たりの発生等により、遊技中、上皿１９が遊技球Ｂで一杯となると、オーバーフローした遊技球Ｂは球通路７１を介して下皿１５へ導かれる。さらに、下皿１５が遊技球Ｂで一杯となると、遊技者は球抜きレバー２５を操作して、下皿１５下方の棚板Ｔ上に載置されたドル箱（収容箱）ＤＢへ遊技球Ｂを移し替える（図８（ａ）等参照）。さらに、当該ドル箱ＤＢが遊技球Ｂにより一杯になると、当該ドル箱ＤＢと、新たな空のドル箱ＤＢを差換える。遊技球Ｂで一杯となったドル箱ＤＢは、遊技者の座席近くに山積みにして置かれる。
【０１３５】
そして、遊技終了後、遊技者が自身の持ち球を計数しようとする際には、まず遊技店の店員を呼ぶ。店員は電子キーのリモコン操作によって、ロック機構２２によるスライド機構２１のロックを解除する。
【０１３６】
続いて、図７（ａ），図８（ａ）に示した通常時の状態にある引出部２０ｃを、図７（ｂ），図８（ｂ）に示すようにパチンコ機１０前方へ引き出す。これにより、張出部２０（上皿１９）の開口部が通常よりも拡大するとともに、底板部１９ｃが後側から前側に向けて下方傾斜した状態となり、前面枠セット１４内部の流込み通路２７が開口した状態となる。
【０１３７】
この状態で、ドル箱ＤＢに収容されていた遊技球Ｂを、導入口となる上皿１９を介して、前面枠セット１４内部へ流し込む。前面枠セット１４内部へ流し込まれた遊技球Ｂは、底板部１９ｃや、引出部２０ｃの傾斜壁部２０ｄ、流込み通路２７の傾斜に沿って流下していき、計数ユニット２８へ導かれる。
【０１３８】
計数ユニット２８に案内された遊技球Ｂは、仕切部２８ａによって各計数レーン２８ｂへ振分けられ、各計数レーン２８ｂに沿って一列に転動していき、出口２８ｃから排出される。出口２８ｃを通過する遊技球Ｂは、各計数レーン２８ｂごとに順次、球検出センサ２８ｄにより検出される。球検出センサ２８ｄは、その検出信号を計数制御装置３１０へ出力する。
【０１３９】
計数制御装置３１０は、ロック機構２２からのロック解除信号の入力、及び、スライドスイッチ２３からのオン信号の入力があったことを条件に、計数ユニット２８（球検出センサ２８ｄ）からの検出信号を有効とみなし、球検出センサ２８ｄからの検出信号の入力を検知するごとに、所定の記憶手段に設定された計数カウンタの値に１ずつ加算していく。
【０１４０】
計数ユニット２８により計数された遊技球Ｂは、内枠１２（樹脂ベース３８）の排出通路３８ａ及び補助誘導部３８ｂを介して、パチンコ機１０の背面側へ排出され、島設備の球回収機構へ回収される。回収された遊技球Ｂは、島設備内を循環し、再びパチンコ機１０の払出機構部３５２（タンク３５５）へ逐次供給される。
【０１４１】
計数制御装置３１０は、計数が終了すると、外部中継端子板２４０を介して、その計数情報をホールコンピュータＨＣへ出力する。
【０１４２】
遊技球Ｂの計数結果は、ホールコンピュータＨＣの指示により、図示しない発券機等において景品引換券に印刷等され、当該引換券が遊技者に対し発券される。景品引換券を受けとった遊技者は、その引換券を景品交換所に提示することで、所望の景品と交換することができる。
【０１４３】
また、遊技球Ｂの計数が終了すると、店員は引出部２０ｃを元の状態に戻し、再びロック機構２２を操作し、スライド機構２１をロック状態とする。
【０１４４】
以上詳述したように、本実施形態では、遊技者が獲得した遊技球Ｂをそのパチンコ機１０において回収し、その球数を計数可能な構成とすることで、獲得した遊技球Ｂをパチンコ機１０から離れた球計数機まで運搬するといった面倒な作業を省略することができ、遊技者や遊技店にとっての負担軽減を図るとともに、利便性の向上を図ることができる。
【０１４５】
また、回収用通路を島設備の棚板Ｔ等ではなく、パチンコ機１０自体に備えることで、従来の個別計数機のように遊技店への導入に際し、既存の島設備に対し大掛かりな工事を行う必要もなく、導入費用等の増加抑制を図ることができる。
【０１４６】
さらに、パチンコ機１０の前方の棚板Ｔ等に、計数機への導入口となる球受け皿を設ける必要もなく、ドル箱ＤＢや遊技者の持ち物などを置くスペースを確保することができるため、遊技者や遊技店にとっての利便性の低下抑制を図ることができる。その結果、遊技店側にとっては、従来同様、ドル箱ＤＢを利用して出球感演出を行うことができるなど、多様な営業形態が選択可能となり、営業面における利便性が向上する。勿論、従来同様、出球感演出を行ってドル箱を積んだとしても、遊技終了時には、その場で遊技球Ｂを回収することができるため、従来のように遊技球Ｂを回収するにあたり、多大な労力を要しない。
【０１４７】
なお、一旦ドル箱ＤＢに収容した遊技球Ｂを回収する場合、従来の個別計数機のように、パチンコ機１０の前方の棚板Ｔ等に計数機への導入口となる球受け皿を設けた構成では、下皿１５等が邪魔をして、ドル箱ＤＢから導入口へ流し込むことが困難となるおそれがある。
【０１４８】
これに対し、遊技球Ｂを発射装置７０へ案内する機能を有する上皿１９は、遊技球Ｂを補給し易いよう、その上方が開けた状態で設けられている。したがって、かかる上皿１９を導入口として利用することにより、遊技球Ｂを流込み通路２７等へ流し込みやすくなり、遊技球Ｂの回収効率を高めることができる。
【０１４９】
また、上皿１９を利用して遊技球Ｂを回収することにより、仮に遊技終了時に上皿１９に遊技球Ｂが残っていた場合であっても、当該遊技球Ｂをわざわざ下皿１５へ排出したり、ドル箱ＤＢへ移し替えることなく回収できるため、利便性がよい。
【０１５０】
また、上皿１９（張出部２０）は相当量の遊技球Ｂを貯留可能なように、比較的幅広に構成されているため、その内部には大きなスペースを確保しやすい。かかるスペースを利用することにより、遊技球Ｂの回収を円滑に行うことのできる流込み通路２７等を設けることができる。
【０１５１】
また、従来のように、下皿１５の下方に位置する棚板Ｔ等において個別計数機への導入口となる球受皿を配置する構成では、島設備の球回収機構まで円滑に遊技球Ｂを誘導するための高低差を確保することが困難となり、計数速度の低下、遊技球の停滞、球詰まり等の不具合が発生することも懸念される。この点、本実施形態では、上皿１９から遊技球Ｂを流し込む構成となっているため、十分な高低差を確保することができ、遊技球Ｂをその自重により誘導する構成であっても、遊技球Ｂを円滑に処理することができる。
【０１５２】
また、本実施形態では、遊技領域から排出された遊技球Ｂをパチンコ機１０外部へ排出するための排出用通路（排出通路部２１７及び排出シュート２１８）は下枠セット２５１に設けられている。一方、計数ユニット２８を通る回収用通路（傾斜壁部２０ｄ、流込み通路２７、排出通路３８ａ等）は前面枠セット１４及び内枠１２に設けられている。このように、両通路が合流することなく、離間した状態で設けられることにより、例えば遊技領域から排出された遊技球Ｂを不正に回収用通路へ導き入れ、実際の球数よりも多い計数結果を出力させるような不正行為の防止を図ることができる。
【０１５３】
また、本実施形態に係るパチンコ機１０は、下皿１５の下方にスペースを有しているため、既に個別計数機を設置している島設備に対しても取付けることができ、既存の個別計数機を無駄にせず従来通り使用することも可能となる。
【０１５４】
なお、上述した実施形態の記載内容に限定されず、例えば次のように実施してもよい。
【０１５５】
（ａ）上記実施形態では、遊技者が獲得した遊技球Ｂを一旦ドル箱ＤＢへ移し替え、遊技終了後、人為的に遊技球Ｂを計数ユニット２８へ流し込む構成となっている。これに限らず、例えば下皿１５を省略し、上皿１９からオーバーフローした遊技球Ｂが直接、計数ユニット２８へ案内される構成としてもよい。
【０１５６】
また、上皿１９が回収用通路の始点（導入口）となるのではなく、異なる地点から回収用通路が始まる構成としてもよい。例えば上皿１９に貯留された遊技球Ｂを、当該上皿１９の外部（下皿１５や、当該下皿１５を省略した構成においてはドル箱ＤＢ等）へ排出可能な球抜き通路を備えた構成においては、当該球抜き通路の途中から回収用通路が始まる構成としてもよい。
【０１５７】
（ｂ）所定の操作手段（球抜きスイッチ２０ｅ等）を操作して、上皿１９内の遊技球Ｂが下皿１５へと排出される場合と、計数ユニット２８へ流れる場合に切換えられる構成としてもよい。また、通常時には、上皿１９内の遊技球Ｂを計数ユニット２８へ流す操作が禁止される構成としてもよい。
【０１５８】
（ｃ）上記実施形態では、遊技球Ｂの計数情報をホールコンピュータＨＣへ出力する構成となっている。これに限らず、パチンコ機１０の側方に配置されるカードユニット（球貸しユニット）に対し、カードユニット接続基板３１４を介して計数情報を出力し、当該カードユニットを介して景品引換券の発券や余り球の返還を受ける構成としてもよい。また、店員の持つ携帯端末機器に対し計数情報を送信し、当該店員から景品引換券の発券を受ける構成としてもよい。勿論、景品引換巻の発券に限らず、所定の記憶媒体に対し計数情報を記憶させる構成としてもよい。
【０１５９】
（ｄ）上記実施形態では、計数手段たる計数制御装置３１０をパチンコ機１０に設けた構成となっているが、これに限らず、計数ユニット２８からカードユニット等の台間機に対し計数ユニット２８（球検出センサ２８ｄ）からの検出信号が送られ、カードユニット等において、遊技球Ｂの計数を行う構成としてもよい。
【０１６０】
（ｅ）上記実施形態では、遊技球Ｂの自重により計数を行う計数ユニット２８が例示されている。これに限らず、例えばスプロケット等の回転体により強制的に遊技球Ｂを処理して計数する構成のものを採用してもよい。
【０１６１】
（ｆ）上記実施形態では、計数ユニット２８が前面枠セット１４の下部に設けられているが、計数ユニット２８の配置位置はここに限定されるものではない。
【０１６２】
例えば、遊技領域から排出された遊技球Ｂを計数ユニット２８へ導き入れ、実際の球数よりも多い計数結果を出力させるような不正行為を防止する上では、計数ユニット２８の高さ位置が排出シュート２１８の出口よりも上方位置であることが好ましく、さらには遊技盤３０のアウト口３６の高さ位置よりも上方位置であることが好ましい。
【０１６３】
また、計数ユニット２８や計数制御装置３１０をパチンコ機１０から省略し、遊技球Ｂを回収する回収用通路のみをパチンコ機１０に備えた構成としてもよい。かかる構成においては、島設備内のパチンコ機１０裏側等において、遊技球Ｂを計数するための計数手段が設けられることとなる。この場合、島設備の球回収機構において、排出用通路を介して排出されたアウト球（遊技球Ｂ）用の計数手段と、回収用通路を介して排出された回収球（遊技球Ｂ）用の計数手段とが異なるものであることが好ましい。
【０１６４】
（ｇ）上記実施形態とは異なるタイプのパチンコ機として実施してもよい。また、パチンコ機以外にも、アレンジボール機、雀球等の各種遊技機として実施することも可能である。
【０１６５】
以下、特許請求の範囲の請求項に記載されないものであって、上記実施形態から把握できる技術的思想について、その効果とともに記載する。
【０１６６】
手段１．遊技球を発射する発射手段と、
発射された遊技球が案内される遊技領域と、
前記遊技領域内に配置された入球手段と、
前記入球手段への遊技球の入球に基づき、所定数の遊技球を賞球として払出す払出手段とを備えた遊技機であって、
前記遊技領域へ案内された遊技球を、遊技機裏側へ排出可能な排出用通路と、
前記排出用通路とは別に、遊技者が獲得した遊技球を回収し、遊技機裏側へ排出可能な回収用通路とを備えたことを特徴とする遊技機。
【０１６７】
上記手段１によれば、遊技者が獲得した遊技球をその遊技機において回収することができる。これにより、獲得した遊技球を遊技機から離れた球計数機まで運搬するといった面倒な作業を省略することができ、遊技者や遊技店にとっての負担軽減を図るとともに、利便性の向上を図ることができる。
【０１６８】
また、回収用通路を島設備の棚板等ではなく、遊技機自体に備えることで、従来の個別計数機のように遊技店への導入に際し、既存の島設備に対し大掛かりな工事を行う必要もなく、導入費用等の増加抑制を図ることができる。
【０１６９】
さらに、遊技機前方の棚板等に、計数機への導入口となる球受け皿等を設ける必要もなく、ドル箱や遊技者の持ち物などを置くスペースを確保することができるため、遊技者や遊技店にとっての利便性の低下抑制を図ることができる。その結果、遊技店側にとっては、従来同様、ドル箱を利用して出球感演出を行うことができるなど、多様な営業形態が選択可能となり、営業面における利便性が向上する。勿論、従来同様、出球感演出を行ってドル箱を積んだとしても、遊技終了時には、その場で遊技球を回収することができるため、従来のように遊技球を回収するにあたり、多大な労力を要しない。
【０１７０】
なお、遊技球の回収に係る負担を軽減する遊技機としては、遊技球を遊技機内で循環させる、いわゆる封入式の遊技機等もある。しかし、かかる遊技機においては、遊技者に対し遊技球を払出さないため、ドル箱を利用して出球感演出等を行うことができない。
【０１７１】
手段２．払出される遊技球を貯留しかつ前記発射手段へ案内する貯留手段と、
前記貯留手段を前記回収用通路の導入口としたことを特徴とする手段１に記載の遊技機。
【０１７２】
一旦ドル箱に収容した遊技球を回収する場合、従来の個別計数機のように、遊技機の前方の棚板等に計数機への導入口となる球受け皿を設けた構成では、遊技機の貯留手段等が邪魔をして、遊技球をドル箱から導入口へ流し込むことが困難となるおそれがある。
【０１７３】
この点、遊技球を発射手段へ案内する機能を有する貯留手段は、通常、遊技球を補給し易いよう、その上方が開けた状態で設けられる。例えば、複数の貯留手段を上下に併設した構成においては、当該機能を有する貯留手段は、その中の最も上方位置に設けられる。
【０１７４】
したがって、かかる機能を有する貯留手段を導入口として利用することにより、遊技球を回収用通路へ流し込みやすくなり、遊技球の回収効率を高めることができる。
【０１７５】
また、貯留手段は相当量の遊技球を貯留可能なように、比較的幅広に構成されているため、その内部には大きなスペースを確保しやすい。かかるスペースを利用することにより、遊技球の回収を円滑に行うことのできる比較的大きな回収用通路を設けることができる。
【０１７６】
また、遊技機最下端と同じ高さに位置する棚板等に計数機への導入口となる球受け皿を設けた構成では、島設備の球回収機構まで円滑に遊技球を誘導するための高低差を確保することが困難となることも懸念される。この点、本手段によれば、より高い位置から遊技球を流し込むことができ、遊技球をより円滑に回収することができる。
【０１７７】
手段３．前記貯留手段に貯留された遊技球を当該貯留手段の外部へ排出可能な球抜き通路を有するとともに、
前記球抜き通路を開閉可能な操作手段と、前記回収用通路を開閉可能な操作手段とを一体に設けたことを特徴とする手段２に記載の遊技機。
【０１７８】
上記手段３によれば、部品点数の削減を図ることができる。
【０１７９】
手段４．前記回収用通路への遊技球の導入を禁止する禁止手段を備えたことを特徴とする手段１乃至３のいずれかに記載の遊技機。
【０１８０】
上記手段４によれば、遊技者による回収用通路の勝手な使用を禁止するとともに、ひいては球検出手段を誤動作させて実際の球数よりも多い計数結果を出力させるような不正行為の防止を図ることができる。
【０１８１】
手段５．前記回収用通路により回収される遊技球を検出可能な球検出手段と、
前記球検出手段の検出結果に基づき、遊技球の計数を行う計数手段とを備えたことを特徴とする手段１乃至４のいずれかに記載の遊技機。
【０１８２】
上記手段５によれば、遊技機自身において、遊技者が獲得した遊技球を計数可能となるため、既存の島設備に新たに計数手段を取付ける工事等を行う必要もなく、導入費用等の増加抑制を図ることができる。
【０１８３】
手段６．前記計数手段により計数された情報を外部出力可能な外部出力手段を備えたことを特徴とする手段５に記載の遊技機。
【０１８４】
上記手段６によれば、計数情報を外部出力可能とすることにより、獲得個数を印刷した景品交換用チケット等を遊技者に対し発行する機能を、遊技機自身に備える必要がなくなり、遊技機の構造の簡素化を図ることができる。
【０１８５】
手段７．前記計数手段を収容する基板ボックスと、
前記基板ボックスを封印する封印手段とを備えたことを特徴とする手段５又は６に記載の遊技機。
【０１８６】
上記手段７によれば、計数手段に対する不正行為を防止することができる。
【０１８７】
手段８．前記排出用通路と前記回収用通路とを離間させたことを特徴とする手段１乃至７のいずれかに記載の遊技機。
【０１８８】
上記手段８によれば、遊技領域から排出された遊技球を不正に回収用通路へ導き入れ、実際の球数よりも多い計数結果を出力させるような不正行為の防止を図ることができる。
【０１８９】
以下に、上記各手段が適用される各種遊技機の基本構成を示す。
【０１９０】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０１９１】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０１９２】
Ｃ．上記各手段における前記遊技機、又は、上記各弾球遊技機は、パチンコ機又はパチンコ機に準ずる遊技機であること。
【符号の説明】
【０１９３】
１０…パチンコ機、１２…内枠、１４…前面枠セット、１５…下皿、１９…上皿、１９ｃ…底板部、２０…張出部、２０ａ，２０ｂ…支持部、２０ｃ…引出部、２０ｄ…傾斜壁部、２１…スライド機構、２２…ロック機構、２３…スライドスイッチ、２７…流込み通路、２８…計数ユニット、２８ａ…仕切部、２８ｂ…計数レーン、２８ｃ…出口、２８ｄ…球検出センサ、３０…遊技盤、３８ａ…排出通路、３８ｂ…補助誘導部、７０…発射装置、２４０…外部中継端子板、３１０…計数制御装置、３５２…払出機構部、Ｂ…遊技球、ＤＢ…ドル箱、Ｔ…棚板。
【図１】
2020078590.tif 000003
【図２】
2020078590.tif 000004
【図３】
2020078590.tif 000005
【図４】
2020078590.tif 000006
【図５】
2020078590.tif 000007
【図６】
2020078590.tif 000008
【図７】
2020078590.tif 000009
【図８】
2020078590.tif 000010
【図９】
2020078590.tif 000011